(57)【要約】【課題】災害や事故などの悪条件下における救命処置の作業場所を確保できる救命用作業台を提供する。【解決手段】ケース２と、ケース２内に入れられるプレート台３と、ケース２の下部に取り付けられる保護シート４とを備える。ケース２は、底板部５の幅方向両側から側壁部６、６がそれぞれ立ち上がり、プレート台３は、裏面にプレート台３の長さ方向に対して直交する一対の嵌合溝８、８が形成され、表面１０に凹所１１が形成される。一対の嵌合溝８、８にケース２のそれぞれの側壁部６、６が嵌合する状態で、ケース２上にプレート台３が載り、プレート台３の表面１０のうち、凹所１１に要救助者の上肢等を載せ、凹所１１以外の部分を救命処置時の作業場所として活用する。【選択図】図２
2017093948.tif 000002
【特許請求の範囲】
【請求項１】
ケースと、そのケース内に入れられるプレート台とを備え、前記ケースは、底板部と、その底板部の幅方向両側からそれぞれ立ち上がる側壁部を有し、前記プレート台は、その裏面に形成され、前記プレート台の長さ方向に対して交差する方向に沿う嵌合溝を有し、前記嵌合溝に前記ケースのそれぞれの側壁部が嵌合する状態で前記ケース上に前記プレート台が載るようにした救命用作業台。
【請求項２】
前記嵌合溝が一対の嵌合溝により形成され、その一対の嵌合溝に前記ケースのそれぞれの側壁部が嵌合する状態となる請求項１に記載された救命用作業台。
【請求項３】
前記プレート台は一対の前記嵌合溝の間の部分がその他の部分よりも肉厚に形成され、その肉厚部は前記プレート台の一対の嵌合溝に前記ケースのそれぞれの側壁部を嵌め合せた状態で、前記ケースの底板部に接するようにした請求項２に記載された救命用作業台。
【請求項４】
前記ケースは、そのケースに巻き付けられる保護シートを有し、前記保護シートは、前記ケースに巻き付けられた状態で固定する固定具を有する請求項１乃至３のいずれかに記載された救命用作業台。
【請求項５】
前記プレート台が長さ方向外側の外周縁にスリットを有する請求項１乃至４のいずれかに記載された救命用作業台。
【請求項６】
前記ケースがその側壁部にスリットを有する請求項１乃至４のいずれかに記載された救命用作業台。
【発明の詳細な説明】
【技術分野】
【０００１】
本発明は、災害や事故などの現場において、要救助者の上肢を支持しつつ救命処置を施す救命用作業台に関する。
【背景技術】
【０００２】
災害や事故などの現場は、非常に危険かつ混乱した状態であることがほとんどであり、また、災害派遣医療チームやレスキュー隊等が活動する現場は、非常に狭隘なことが多い。このような悪条件下の現場において、要救助者に対して静脈路の確保や薬剤投与等の救命処置が行われている。
【０００３】
上記狭隘な現場においては、静脈路の確保や薬剤投与等の救命処置を行うための作業場所の確保が重要であり、また、救命処置後の輸液ルートの留置針を上肢等に刺した状態で、迅速に要救助者を移動させる必要があった。
【０００４】
ここで、輸液ルートの留置針を上肢等に刺した状態で固定する技術が開示されている。この技術は、上肢（腕）の外半面に巻き付けて覆う樹脂製の断面円弧状の固定カバーと、その固定カバーの外面に取り付けられ、腕に巻き付けて固定するバンドと、バンドの腕に当たる部分の内面幅方向に間隔をおいて貼り付けた複数のプラスチック丸棒とを備えたものである（特許文献１参照）。
【０００５】
特許文献１に記載された技術は、固定カバーに輸液ルートの留置針を腕に刺した状態の腕を入れ、バンドを腕に巻き付けるものである。そして、バンドに貼り付けたプラスチック丸棒により、腕の血管への圧迫を緩和した状態で、固定カバーに腕を固定することができる。
【先行技術文献】
【特許文献】
【０００６】
【特許文献１】特開平８−１０３４９４号公報
【発明の概要】
【発明が解決しようとする課題】
【０００７】
特許文献１に記載された技術は、輸液ルートの留置針を腕に刺した状態で腕を固定するものである。しかしながら、災害や事故などの悪条件下における静脈路の確保や薬剤投与等の救命処置を行うための作業場所の確保を考慮していない。
【０００８】
そこで、この発明の課題としては、災害や事故などの悪条件下における救命処置の作業場所を確保できる救命用作業台を提供することである。
【課題を解決するための手段】
【０００９】
上記の課題を解決するために、この発明は、ケースと、そのケース内に入れられるプレート台とを備え、前記ケースは、底板部と、その底板部の幅方向両側からそれぞれ立ち上がる側壁部を有し、前記プレート台は、その裏面に形成され、前記プレート台の長さ方向に対して交差する方向に沿う嵌合溝を有し、前記嵌合溝に前記ケースのそれぞれの側壁部が嵌合する状態で前記ケース上に前記プレート台が載るようにした構成を採用することができる。
【００１０】
この構成によると、災害や事故などの現場において、プレート台の嵌合溝にケースのそれぞれの側壁部を嵌め合わせて、プレート台をケース上に載せることができる。
【００１１】
また、ケース上のプレート台上に要救助者の上肢等を置いて、静脈路の確保や薬剤投与等の処置ができ、プレート台の表面のうち、要救助者の上肢が置かれた部分以外の表面を作業スペースとして活用することができる。
【００１２】
前記嵌合溝が一対の嵌合溝により形成され、その一対の嵌合溝に前記ケースのそれぞれの側壁部が嵌合する状態となる構成を採用することができる。
【００１３】
この構成では、ケースのそれぞれの側壁部がプレート台の一対の嵌合溝に嵌合するので、プレート台が安定する。
【００１４】
前記プレート台は一対の前記嵌合溝の間の部分がその他の部分よりも肉厚に形成され、その肉厚部は前記プレート台の一対の嵌合溝に前記ケースのそれぞれの側壁部を嵌め合せた状態で、前記ケースの底板部に接するようにした構成を採用することができる。
【００１５】
この構成によると、プレート台の一対の嵌合溝にケースのそれぞれの側壁部を嵌め合わせて、プレート台をケース上に載せると、プレート台の肉厚部がケースの底板部に接する。このため、プレート台上に要救助者の上肢等を置いたとき、プレート台の撓みが防止される。
【００１６】
前記ケースは、そのケースに巻き付けられる保護シートを有し、その保護シートは、前記ケースに巻き付けられた状態で固定する固定具を有する構成を採用することができる。
【００１７】
救命処置後の輸液ルートの留置針を上肢等に刺した状態で、上肢等をケース内に入れ、保護シートを巻き付けて固定具により固定すると、救命処置した状態で上肢等をケースに固定することができる。
【００１８】
前記プレート台が長さ方向外側の外周縁にスリットを有する構成、あるいは前記ケースがその側壁部にスリットを有する構成を採用することができる。
【００１９】
静脈路の確保や薬剤投与等の処置の際、輸液ルートの先端部分をプレート台のスリットに仮置きし、また、輸液ルートの三方活栓などをケースの側壁部のスリットに差し込んで固定することができる。
【発明の効果】
【００２０】
この発明は、プレート台の嵌合溝にケースのそれぞれの側壁部を嵌め合わせて、プレート台をケース上に載せ、プレート台の表面を救命処置時の作業場所として活用することができる。
【図面の簡単な説明】
【００２１】
【図１】この発明に係る第一実施形態の救命用作業台の斜視図
【図２】同上の救命用作業台の分解斜視図
【図３】（ａ）同上の救命用作業台の平面図、（ｂ）同上の救命用作業台の側面図、（ｃ）同上の救命用作業台の正面図
【図４】（ａ）同上の救命用作業台のケース上にプレート台を載せた状態を示す平面図、（ｂ）同上の救命用作業台のケース上にプレート台を載せた状態を示す正面図
【図５】同上の救命用作業台の使用状態を示す斜視図
【図６】同上の救命用作業台の保護シートを巻き付ける状態を示す斜視図
【図７】同上の救命用作業台の使用後状態を示す正面図
【図８】この発明に係る第二実施形態の救命用作業台の分解斜視図
【図９】同上の救命用作業台の使用状態を示す斜視図
【図１０】この発明に係る第三実施形態の救命用作業台のプレート台の斜視図
【図１１】同上の救命用作業台の使用状態を示す正面図
【発明を実施するための形態】
【００２２】
以下、この発明の第一実施形態に係る救命用作業台を図１〜図７に基づいて説明する。
この実施形態に係る救命用作業台１は、図１、２に示すように、皿状のケース２と、ケース２内に入れられるプレート台３と、ケース２の下部に着脱可能に取り付けられる保護シート４とを備える。
【００２３】
ケース２は、矩形の底板部５と、底板部５の幅方向両側からそれぞれ立ち上がる側壁部６、６と、底板部５の長さ方向両側から立ち上がる端壁部７、７とを有する。
【００２４】
図３に示すように、底板部５は、その下面に補強板５ａが貼り付けられている。補強板５ａは、底板部５と同じ形状であって、剛性を有する合成樹脂板から形成されている。側壁部６、６は、底板部５の幅方向両側縁から、ケース２の幅方向外側に向かって上向きに湾曲する湾曲部分を経て、立ち上がる状態に形成されている。
【００２５】
それぞれの側壁部６、６は、その上縁部にスリット６ａが形成されている。スリット６ａは、ケース２の長さ方向両側にそれぞれ形成されている。また、スリット６ａは、所定の幅（ケース２の長さ方向の幅）を有し、例えば、図５に示すように、輸液ルートＸ１に接続される三方活栓Ｙの分岐部分を差し込んで固定できるようになっている。
【００２６】
また、側壁部６は、ケース２内にプレート台３を入れた状態において、プレート台３の厚みよりも高く形成されており、かつ後述するプレート台３の肉厚部９よりも低く設定されている（図３（ｂ）参照）。
【００２７】
なお、スリット６ａは、それぞれの側壁部６のケース２の長さ方向の一側方にのみ形成してもよい。あるいは、それぞれの側壁部６、６のうち、何れか一方の側壁部６にのみ形成してもよい。
【００２８】
端壁部７、７は、底板部５の長さ方向両側縁において、側壁部６、６の間で立ち上がる状態で形成されている。端壁部７、７は、その高さが側壁部６よりも低く設定される。端壁部７、７は、ケース２内に入れたプレート台３が突き当たる高さを有し、プレート台３がケース２内から脱落するのを防止する。
【００２９】
ケース２の底板部５、側壁部６及び端壁部７は、一体に形成されており、外力が作用していない状態で自立可能な可撓性を有する素材、例えば、発泡ウレタン樹脂、発泡ポリエチレン樹脂、発泡ポリスチレン樹脂などの発泡樹脂材から成形される。
【００３０】
プレート台３は、図３（ａ）〜（ｃ）に示すように、その裏面が上方を向く状態でケース２内に入れられる矩形の板状の部材である。プレート台３は、その裏面に長さ方向に対して直交する方向に沿って形成された一対の嵌合溝８、８を有する。
【００３１】
一対の嵌合溝８、８は、平行に形成されており、その間隔がケース２の側壁部６、６の間隔と同じ間隔である。また、それぞれの嵌合溝８は、プレート台３の長さ方向中央から等距離にそれぞれ形成され、ケース２の側壁部６が嵌合する溝幅を有する（図４（ｂ）参照）。
【００３２】
プレート台３は、その裏面において、一対の嵌合溝８、８の間の部分（内側部）が、それぞれの嵌合溝８、８よりも長さ方向外側の部分（外側部）よりも肉厚に形成されている。この内側部となる肉厚部９は、プレート台３の裏面側において、外側部よりも突き出している。
【００３３】
肉厚部９は、図４（ｂ）に示すように、プレート台３の長さ方向の両側の側面９ａが、一対の嵌合溝８、８のプレート台３の長さ方向内側の溝側面と連続面となっている。肉厚部９のそれぞれの側面９ａは、プレート台３の一対の嵌合溝８、８にケース２の側壁部６、６を嵌合した状態で、側壁部６の内壁面に沿う状態となっている。
【００３４】
また、肉厚部９は、プレート台３の一対の嵌合溝８、８にケース２のそれぞれの側壁部６、６を嵌め合せた状態で、ケース２の底板部５に接する厚みを有する。
【００３５】
プレート台３は、その表面１０に形成され、長さ方向の一対の嵌合溝８、８の間に位置する凹所１１を有する。凹所１１は、プレート台３の幅方向両縁に達し、その表面が湾曲面となっている（図３（ｂ）参照）。
【００３６】
また、プレート台３は、その表面１０の幅方向両側が幅方向外側に向かって厚みが薄くなる方向に湾曲している。プレート台３は、表面１０を下方に向けてケース２内に入れた状態で、その表面１０がケース２の内面に沿うように形成される（図３（ｃ）参照）。
【００３７】
プレート台３は、長さ方向両端縁に長さ方向内向きに形成されたスリット１２、１２を有する。スリット１２は、プレート台３の厚み方向全長にわたって形成される。プレート台３に対して長さ方向内向きに救命処置に必要な器具、例えば、輸液ルートの先端部分を差し込んで仮置きすることが可能となる。
【００３８】
プレート台３は、外力が作用していない状態で自立可能な可撓性を有する素材、例えば、発泡ウレタン樹脂、発泡ポリエチレン樹脂、発泡ポリスチレン樹脂などの発泡樹脂材から成形され、補強板５ａを除くケース２と同じ素材で形成される。
【００３９】
保護シート４は、ケース２の幅方向外向きに延び出す矩形の透明または半透明なシート体であり、ケース２の底板部５の下部に着脱可能に取り付けられる。保護シート４は、ケースの底板部５の大部分を覆う幅を有し、ケース２の周囲に巻き付け可能な長さを有している。
【００４０】
また、保護シート４は、その幅方向両側（ケース２の長さ方向両側）のそれぞれに二箇所ずつ形成されたスリット４ａを有している。スリット４ａは、保護シート４の幅方向両側において、ケース２の幅方向両側にそれぞれ配置される（図１参照）。
【００４１】
保護シート４の幅方向両側には、二箇所のスリット４ａに差し込まれた固定帯１３が保護シート４の長さ方向に沿って配置されている。
【００４２】
固定帯１３、１３は、二箇所のスリット４ａ、４ａの間で保護シート４上に配置され、二箇所のスリット４ａから保護シート４の長さ方向外側では、保護シート４の下部に配置されている。
【００４３】
また、固定帯１３、１３は、その両端部が保護シート４に対して長さ方向外側に延び出している。固定帯１３のそれぞれの先端部分１３ａには面ファスナがそれぞれ貼り付けられている。
【００４４】
固定帯１３は、図６、７に示すように、それぞれの先端部分１３ａ、１３ａ同士を重ね合わせ、保護シート４がケース２の周囲に巻き付けられた状態で保持するものである。
【００４５】
保護シート４の長さ方向中央と、ケース２の下部の補強板５ａとに面ファスナ（図示省略）がそれぞれ貼り付けられており、この面ファスナにより保護シート４がケース２に対して着脱可能に取り付けられている。
【００４６】
保護シート４としては、柔軟性を有する透明または半透明なシート状の合成樹脂を適用することができ、例えば、ポリプロピレン、シリコーン樹脂等を採用することができる。
【００４７】
この実施形態の救命用作業台１は、上記のように構成され、プレート台３の一対の嵌合溝８、８にケース２のそれぞれの側壁部６を嵌合し、プレート台３をケース２上に載せることができる。このとき、プレート台３の表面１０のうち、凹所１１以外の部分を作業スペースとして活用することができる。
【００４８】
なお、プレート台３は、その表面に凹所１１を有していないものであってもよい。プレート台３が凹所１１を有することにより、凹所１１に載せられる要救助者の上肢等が安定する。
【００４９】
また、プレート台３の一対の嵌合溝８、８は、プレート台３の長さ方向に対して交差する方向に沿って形成されていればよい。本実施形態のようにプレート台３の裏面に長さ方向に対して直交する方向に沿って形成されると、プレート台３の表面１０のうちの作業スペースを最大に利用することができるので好ましい。
【００５０】
保護シート４は、必ずしもケース２の下部に取り付ける必要はなく、例えば、ケース２の側壁部６、６のいずれか一方に取り付けられてもよい。また、保護シート４を二分割して、分割した保護シート４をケース２の側壁部６、６のそれぞれに取り付けてもよい。要は、保護シート４としては、ケース２に取り付けられ、ケース２に巻き付けられる状態とすることができるものであればよい。
【００５１】
このように構成される救命用作業台１は、プレート台３が凹所１１を下向きにしてケース２内に入れられ、そのケース２の周囲に保護シート４が巻き付けられた状態で保管されている。
【００５２】
救命用作業台１は災害や事故などが発生した際、その現場に持ち込まれる。このとき、救命用作業台１は、保護シート４がケース２の周囲から広げられた状態で、要救助者の近傍に載置される（図１参照）。
【００５３】
その後、プレート台３をケース２内から取り出し、表面１０が上向きとなるように向きを変える。この状態で、プレート台３をその長さ方向がケース２の長さ方向と直交するように回転させ、プレート台３の一対の嵌合溝８、８にケース２の側壁部６、６を嵌め合わせる（図４（ａ）、（ｂ）参照）。
【００５４】
この嵌め合わせによって、ケース２上にプレート台３が載置された状態で保持される。続いて、静脈路の確保や薬剤投与等の救命処置を行うために、プレート台３の凹所１１上に要救助者の上肢Ａを載せる。
【００５５】
プレート台３の凹所１１上に載せた要救助者の上肢Ａは、地面や床面よりも高い位置となるため、救命処置が行いやすい状態となる。
【００５６】
静脈路の確保や薬剤投与等の救命処置に必要な輸液ルート等を準備し、その輸液ルートＸ１の三方活栓Ｙをケース２の側壁部６のスリット６ａに差し込んで固定する。
【００５７】
さらに、三方活栓Ｙから伸びる輸液ルートＸ２の先端部分をプレート台３のスリット１２に差し込んで仮置きする（図５参照）。その後、要救助者に対して必要な静脈路の確保や薬剤投与等の救命処置を行う。
【００５８】
ここで、図５に示すように、救命用作業台１は、三方活栓Ｙの固定や、輸液ルートＸ２の先端部分の仮置きをする作業場所を確保することが可能である。このため、従来、これらの器具を手に持って保持していた他の人員が不要となるとともに、迅速な救命処置を行い得る。
【００５９】
要救助者への救命処置後、静脈路の確保や薬剤投与等を継続した状態で、要救助者の上肢Ａを持ち上げ、プレート台３をケース２上から外し、要救助者の上肢Ａをケース２内に入れた状態とする。
【００６０】
図６に示すように、保護シート４を要救助者の上肢Ａとともにケース２の周囲に巻き付ける。そして、図７に示すように、固定帯１３のそれぞれの先端部分１３ａ同士を面ファスナにより貼り合わせる。保護シート４により、静脈路の確保や薬剤投与等を継続する要救助者の上肢Ａを保護し、かつ要救助者の上肢Ａをケース２内に固定する。
【００６１】
このとき、要救助者の上肢Ａが入れられたケース２内のすき間に、救命処置に必要な輸液ルートなどを入れることができる。
【００６２】
その後、要救助者の上肢Ａをケース２内に固定した状態で、要救助者を現場から搬出する。ここで、保護シート４は透明であるので、ケース２内に固定される要救助者の上肢Ａの状態を視認することができる。
【００６３】
次に、この発明に係る第二実施形態の救命用作業台２０を図８、９に基づいて説明する。この実施形態は、ケース２が保護シート４を有していない点で、上述した第一の実施形態の構造体と相違する。その他の構造は、第一実施形態と同じと考えられ、同じ符号を付してその説明を省略する。
【００６４】
この実施形態では、図９に示すように、プレート台３は、一対の嵌合溝８、８にケース２のそれぞれの側壁部６を嵌合した状態で、ケース２上に載せることができる。このとき、プレート台３の表面１０のうち、凹所１１以外の部分を救命処置時の作業場所として活用することができる。
【００６５】
この発明に係る第三実施形態の救命用作業台３０を図１０、１１に基づいて説明する。この実施形態は、プレート台３の裏面に形成された一対の嵌合溝８、８が、プレート台３の長さ方向に対して直交する方向に沿う広幅の嵌合溝１４である点、及びプレート台３の肉厚部９を有していない点で、上述した第一の実施形態の構造体と相違する。
【００６６】
この実施形態では、図１０に示すように、プレート台３は、その裏面に形成され、プレート台３の長さ方向に対して直交する方向に沿う広幅の嵌合溝１４を有する。嵌合溝１４は、プレート台３の長さ方向の中央に形成され、ケース２のそれぞれの側壁部６、６の外側面間の距離と同じ溝幅を有している。
【００６７】
この実施形態のプレート台３は、図１１に示すように、嵌合溝１４にケース２のそれぞれの側壁部６を嵌合した状態で、ケース２上に載せることができる。このとき、上述した第一実施形態と同様、プレート台３の表面１０のうち、凹所１１以外の部分を作業スペースとして活用することができる。
【００６８】
なお、プレート台３の嵌合溝１４は、プレート台３の長さ方向に対して交差する方向に沿って形成されていればよい。第三実施形態のようにプレート台３の裏面に長さ方向に対して直交する方向に沿って形成されると、プレート台３の表面１０のうちの救命処置時の作業場所を最大に利用することができるので好ましい。
【００６９】
なお、第三実施形態のプレート台３は、上述した第二実施形態のプレート台として適用することができる。
【符号の説明】
【００７０】
１  救命用作業台
２  ケース
３  プレート台
４  保護シート
４ａ  スリット
５  底板部
５ａ  補強板
６  側壁部
６ａ  スリット
７  端壁部
８  嵌合溝
９  肉厚部
９ａ  側面
１０  表面
１１  凹所
１２  スリット
１３  固定帯
１３ａ  先端部分
１４  嵌合溝
２０、３０  救命用作業台
Ａ  上肢
Ｘ１、Ｘ２  輸液ルート
Ｙ  三方活栓
【図１】
2017093948.tif 000003
【図２】
2017093948.tif 000004
【図３】
2017093948.tif 000005
【図４】
2017093948.tif 000006
【図５】
2017093948.tif 000007
【図６】
2017093948.tif 000008
【図７】
2017093948.tif 000009
【図８】
2017093948.tif 000010
【図９】
2017093948.tif 000011
【図１０】
2017093948.tif 000012
【図１１】
2017093948.tif 000013